(57)【要約】      （修正有）【課題】洗面や手洗いをするための洗面台としての機能とドレッサとしての機能とを備えた洗面ミラーキャビネットにおいて、吐水部の一部又は全部が見えないようにして化粧専用のドレッサーであるかのような使用感を与えることができる。【解決手段】ボウル部１を備えた洗面台部２の上部にミラーキャビネット部３を設けることで構成される洗面ミラーキャビネット４に、ボウル部１に向けて水を吐出する吐水部５を設ける。ミラーキャビネット部３に設けた収納部７の前開口に開閉自在に設けたミラー６の下端部で該吐水部５の前方を覆って吐水部５の一部又は全部を隠す。【選択図】図１
2008237444.tif 000002
【特許請求の範囲】
【請求項１】
ボウル部を備えた洗面台部の上部にミラーキャビネット部を設けることで構成される洗面ミラーキャビネットに、ボウル部に向けて水を吐出する吐水部を設け、ミラーキャビネット部の前面に設けたミラーの下端部で該吐水部の前方を覆って吐水部の一部又は全部を隠すことを特徴とする洗面ミラーキャビネット。
【請求項２】
ミラーキャビネット部に設けた収納部の前開口に開閉自在に設けたミラーの下端部で該吐水部の前方を覆って吐水部の一部又は全部を隠すことを特徴とする請求項１記載の洗面ミラーキャビネット。
【発明の詳細な説明】
【技術分野】
【０００１】
本発明は、洗面ミラーキャビネットに関するものである。
【背景技術】
【０００２】
ボウル部を備えた洗面台部の上部に、ミラーキャビネット部を設けた洗面ミラーキャビネットにおいて、従来は洗面台部のカウンター部又はボウル部の上面部に操作部を備えた吐水部（例えば、カラン）を取付けたものが一般的である。しかしながら、この従来例にあっては、カウンター部やボウル部の上面部に吐水部を取付けてあるので、カウンター部の実際に使用できる面積が狭くなったり、あるいはボール部の凹部となる部分の面積が狭くなるという問題があった。
【０００３】
そこで、洗面化粧台の上面の後端部に上方に向けて突出するバックガードの上部に水洗ブロックを設けることで、洗面化粧台の上面のカウンターを広く使えたり、あるいは洗面ボールの凹部となる部分の面積が広く取れるようにしたものが特許文献１等により知られている。
【０００４】
ところで、洗面台部の上部にミラーキャビネット部を設けた洗面ミラーキャビネットは、大別してボウル部を利用した洗面や手洗いをするための洗面台としての機能と、ミラーキャビネット部の前面に位置するミラーに顔や髪を映しての化粧や整髪等を行うためのドレッサとしての機能とを備えている。
【０００５】
このため、従来の洗面ミラーキャビネットは、化粧や整髪をする場合、化粧や整髪等に関係のない洗面や手洗いに必要な機能であるカランのような金属製の吐水部が前方に突出して見えるため、化粧をする人に対して、洗面や手洗いをするための洗面台に付いているミラーを利用して化粧や整髪をしているという使用感しか与えず、化粧専用のドレッサーを利用して化粧しているという満足感を与えることができなかった。
【０００６】
このため、高級ホテルなどで見られるような洗面台とは別に設置された化粧専用のドレッサの前で化粧や整髪をするような満足感を従来の洗面ミラーキャビネットでは得ることができなかった。
【特許文献１】特開２００１−２６９２７５号公報
【発明の開示】
【発明が解決しようとする課題】
【０００７】
本発明は上記の従来の問題点に鑑みて発明したものであって、洗面や手洗いをするための洗面台としての機能とドレッサとしての機能とを備えた洗面ミラーキャビネットにおいて、吐水部の一部又は全部が見えないようにして化粧専用のドレッサーであるかのようにできる洗面ミラーキャビネットを提供することを課題とするものである。
【課題を解決するための手段】
【０００８】
上記課題を解決するために本発明に係る洗面ミラーキャビネットは、ボウル部１を備えた洗面台部２の上部にミラーキャビネット部３を設けることで構成される洗面ミラーキャビネット４に、ボウル部１に向けて水を吐出する吐水部５を設け、ミラーキャビネット部３の前面に設けたミラー６の下端部で該吐水部５の前方を覆って吐水部５の一部又は全部を隠すことを特徴とするものである。
【０００９】
このような構成とすることで、洗面や手洗いをするための洗面台としての機能とドレッサとしての機能とを備えた洗面ミラーキャビネット４でありながら、洗面ミラーキャビネット４の前方に位置する使用者からは、洗面や手洗いをするための洗面台としての機能を特徴付ける金属製のカランのような吐水部５の一部しか見えないか又は全部見えず、ミラーに顔や髪を映して化粧する場合、化粧専用のドレッサーであるかのような使用感が得られる。
【００１０】
また、ミラーキャビネット部３に設けた収納部７の前開口に開閉自在に設けたミラー６の下端部で該吐水部５の前方を覆って吐水部の一部又は全部を隠すことが好ましい。
【００１１】
このような構成とすることで、ミラー６で吐水部５の前方を覆うようにしたにもかかわらず、ミラー６を開くことで吐水部５が前方から見える状態にでき、カランのような吐水部５の保守や点検が容易に行える。
【発明の効果】
【００１２】
本発明は、上記のように洗面ミラーキャビネットに、ボウル部に向けて水を吐出する吐水部を設け、ミラーキャビネット部の前面に設けたミラーの下端部で該吐水部の前方を覆って吐水部の一部又は全部を隠すので、洗面や手洗いをするための洗面台としての機能とドレッサとしての機能とを備えた洗面ミラーキャビネットにおいて、吐水部の一部又は全部が見えないようにして化粧専用のドレッサーであるかのような使用感を与えることができる。
【発明を実施するための最良の形態】
【００１３】
以下、本発明を添付図面に示す実施形態に基いて説明する。
【００１４】
本発明の洗面ミラーキャビネット４は、ボウル部１を備えた洗面台部２の上部に、ミラーキャビネット部３を設けることで構成してある。
【００１５】
洗面台部２は箱状をした洗面台ボックス１０の上面部にカウンター１１を設け、該カウンター１１の一部にボウル部１を設けると共にカウンター１１の後端部に上方に向けてバックガード１２を突設して構成してある。添付図面に示す実施形態ではカウンター１１の一部を下方に凹ませてボウル部１を一体に形成すると共に、カウンター１１の後端部にバックガード１２を一体に突出形成した例が示してあるが、カウンター１１の一部に開口部を形成して該開口部に別体のボウル部１を装着してもよく、また、カウンター１１の後端部に別体のバックガード１２を立設してもよい。
【００１６】
ミラーキャビネット部３は、キャビネット本体１３に前方が開口部となった収納部７を設けると共にキャビネット本体１３の前面に上記収納部７を開閉自在とするミラー６を枢支して取付けることで構成してある。また、キャビネット本体１３の上端部には照明器具１４が設けてある。
【００１７】
キャビネット本体１３には前方から見て左右方向に複数に区画された（添付図面に示す実施形態では３つに区画された）収納部７が設けてあり、左右方向に複数に区画された収納部７は更に上下方向においても複数に区画されている。左右方向に複数に区画された収納部７のうち一つの収納部７ａ（添付図面では左右方向の中央部の収納部７ａ）の下端部は左右方向に区画された他の収納部７の下端部より上方にずれて位置している。つまり、キャビネット本体１３には前方から見た場合、左右方向に複数に区画された収納部のうち一つの収納部７ａの真下の部分は前方及び下方に向けて開口した凹部１５となっており、該凹部１５の天面が一つの収納部７ａの下面により構成され、凹部１５の側面が別の収納部７の下端部側面により構成され、凹部１５の背面が背板部１６により構成される。
【００１８】
図３、図４に示す実施形態では背板部１６がキャビネット本体１３と一体に形成してあり、別の収納部７の下面の後端部と背板板１６の下端面とは同じレベルで面一となるように連続している例が示してある。
【００１９】
また、図５、図６に示す実施形態においては、バックガード１２の左右方向の一部（図５、図６では左右方向の中央部）から上方に背板部１６を上方に突出し、該背板部１６を凹部１５内の背端部に嵌め込むことで凹部１５の背面を構成している。
【００２０】
キャビネット本体１３の前面には上記左右方向に複数に区画された収納部７に対応して左右方向に複数のミラー６を回動自在に枢支してあって、各ミラー６により左右方向に複数に区画された収納部７の前開口を開閉自在としている。
【００２１】
ここで、収納部７ａの前開口を開閉自在とするミラー６ａの下端部は収納部７ａの下端よりも下方に向けて突出しており、ミラー６ａで収納部７ａの前開口を閉じた際に、ミラー下端部６ａ１により凹部１５の前開口を覆うようになっている。
【００２２】
上記の構成のミラーキャビネット部３は、上記連続する別の収納部７（図の実施形態では左右の収納部７）の下面の後端部と背板板１６の下端面とを、洗面台部２のバックガード１２の上端面上に載設することで、洗面や手洗いをするための洗面台としての機能とドレッサとしての機能とを備えた洗面ミラーキャビネット４を構成する。
【００２３】
上記のような構成の洗面ミラーキャビネット４には、ボウル部１に向けて水を吐出する吐水部５が設けられる。
【００２４】
吐水部５は凹部１５内に位置するように取付けられる。図３、図４に示す実施形態はキャビネット本体１３に一体に形成した背板部１６にカランのような吐水部５及び吐水部５からの、水の供給、供給停止をするための操作部２０を前方に向けて取付けた例である。
【００２５】
また、図７、図８に示す実施形態はキャビネット本体１３の凹部１５の天面部分に下方に向けて突出するようにカランのような吐水部５及び吐水部５から水の供給、供給停止の操作を行うための操作部２０を前方に向けて取付けた例である。
【００２６】
また、図５、図６に示す実施形態では、バックガード１２の上部に上方に突設した背板部１６にカランのような吐水部５及び吐水部５から水の供給、供給停止を行うための操作部２０を前方に向けて取付けた例である。
【００２７】
ここで、添付図面に示す実施形態では吐水部５の下端部が凹部１５の下向き開口より下方に僅かに突出している例が示してあるが、吐水部５の下端部が凹部１５の下向き開口より下方に突出しないものであってもよい。
【００２８】
また、操作部２０の下部は凹部１５の下向き開口より下方に突出している。
【００２９】
いずれの実施形態でもミラー６ａを閉じた際に下端部６ａ１で凹部１５の前開口を覆うものであり、このため、ミラー６ａを閉じることで、凹部１５内に配置された吐水部５及び操作部２０の一部又は全部の前方をミラー６ａの下端部のミラー下端部６ａ１により覆うようになっている。
【００３０】
このように、ミラー６ａを閉じた状態では、吐水部５の一部しか見えないか又は全部見えないようになっており、このため、洗面や手洗いをするための洗面台としての機能とドレッサとしての機能とを備えた洗面ミラーキャビネット４でありながら、洗面ミラーキャビネット４の前方に位置する使用者からは、洗面や手洗いをするための洗面台としての機能を特徴付ける金属製のカランのような吐水部５の一部しか見えないか又は全部見えず、ミラーに顔や髪を映して化粧する場合、化粧専用のドレッサーであるかのような使用感が得られることになる。
【００３１】
洗顔や手洗いをする場合は、操作部２０の下端部を操作することで吐水部５からボウル部１に向けて水が流れるので、吐水部５の前方をミラー６ａの下端部のミラー下端部６ａ１により覆って見えない又は一部しか見えないようにしたにもかかわらず支障なく洗面や手洗いをすることができる。
【図面の簡単な説明】
【００３２】
【図１】本発明の一実施形態の斜視図である。
【図２】同上のミラーを開いた状態の斜視図である。
【図３】同上の分解斜視図である。
【図４】（ａ）は同上の吐水部の取付け部分を示す要部断面図であり、（ｂ）は操作部の取付け部分を示す要部断面図である。
【図５】同上の他の実施形態の分解斜視図である。
【図６】（ａ）は同上の吐水部の取付け部分を示す要部断面図であり、（ｂ）は操作部の取付け部分を示す要部断面図である。
【図７】同上の更に他の実施形態の分解斜視図である。
【図８】（ａ）は同上の吐水部の取付け部分を示す要部断面図であり、（ｂ）は操作部の取付け部分を示す要部断面図である。
【符号の説明】
【００３３】
１  ボウル部
２  洗面台部
３  ミラーキャビネット部
４  洗面ミラーキャビネット
５  吐水部
６  ミラー
【図１】
2008237444.tif 000003
【図２】
2008237444.tif 000004
【図３】
2008237444.tif 000005
【図４】
2008237444.tif 000006
【図５】
2008237444.tif 000007
【図６】
2008237444.tif 000008
【図７】
2008237444.tif 000009
【図８】
2008237444.tif 000010